(57)【要約】【課題】  樹脂成形品のタンクレールの反りを矯正する。【解決手段】  基板２５に取り付けられるタンクレール２７には、底板３３と外側板３４とで断面コ字状の通路部３２が形成されている。通路部３２は、仕切り板３５により、２条の球通路３７，３８に仕切られている。通路部３２の上部は、通路カバー３１で被われており、通路カバー３１は、タンクレール２７と基板２５との間に嵌め込まれている。基板２５に設けた突出部４０と通路カバー３１に設けた段差部４１とは、仕切り板３５の先端を両側から支持して反りを矯正し、球通路３７の幅を規制する。また、突出部４０に設けた雄ネジ付きピン４２に外側板３４を螺子４３で止めることで、外側板３４の反りも矯正することができる。【選択図】        図５
2006192126.tif 000002
【特許請求の範囲】
【請求項１】
遊技盤の裏面に取り付けられるパチンコ球貯留タンクと、前記パチンコ球貯留タンクから払い出し装置に向けて前記パチンコ球を流下させる通路部を有するとともに、樹脂成形で形成されるタンクレールとを備え、前記タンクレールに、パチンコ球が２列以上に分流するように前記通路部を複数の球通路に仕切る仕切り板を、パチンコ球１個分を越える高さで立設した遊技機において、
前記仕切り板の立ち上がり方向に対して直交する方向の少なくとも一方から前記仕切り板を支持して、前記各球通路をパチンコ球１個以上２個未満の幅に規制する幅規制部材を設けたことを特徴とする遊技機。
【請求項２】
パチンコ球の重なりによる球詰まりを防ぐために、前記通路部の上方に設けた開放部から各球通路に個別に入り込んで、重なって流動するパチンコ球を均等に配分する球ならし部材を設けたことを特徴とする請求項１記載の遊技機。
【請求項３】
前記通路部の上方に設けた開放部のうちの一部を被う通路カバーに、前記幅規制部材を設けたことを特徴とする請求項１又は２記載の遊技機。
【請求項４】
前記幅規制部材が、前記仕切り板とこれに対峙して球通路を構成する板との間に、前記通路部の上方に設けた開放部から嵌り込むスペーサを備えていることを特徴とする請求項１ないし３いずれか記載の遊技機。
【発明の詳細な説明】
【技術分野】
【０００１】
本発明は、パチンコ球貯留タンクから払い出し装置にパチンコ球を誘導するための樹脂成形製のタンクレールを備えた遊技機に関するものである。
【背景技術】
【０００２】
従来、パチンコ機の遊技盤の後面上方には、パチンコ球貯留タンクが設けられている。パチンコ球貯留タンクには多数のパチンコ球が貯留されており、ゲームが行われて入賞が発生すると、パチンコ球貯留タンクに貯留されたパチンコ球が払い出し装置によってパチンコ機の前面側から所定個数払い出される。パチンコ球貯留タンクの下方には、樹脂成形製のタンクレールが配されている。タンクレールには、パチンコ球整列通路（以下、「球通路」と称す）が形成されている。球通路は、払い出し装置に向けて傾斜するように形成されており、パチンコ球貯留タンクから排出されたパチンコ球は、球通路を流下して払い出し装置に送られる（特許文献１）。
【０００３】
遊技盤の後面には基板が取り付けられており、球通路は、前記基板から後方に向けて張り出した底板と底板の後端に立設する後側板とにより、上方が開放した断面コ字状に形成されている。タンクレールとしては、パチンコ球貯留タンクから流下するパチンコ球を前後２条に分割するために、基板と後側板との間の底面にパチンコ球１個分を越える高さの仕切り板を設けて２個の球通路を隣接して形成したものが知られている（特許文献２）。
【０００４】
ところで、パチンコ機の多くには、パチンコ球が積み重なったまま払い出し装置に送られることを防ぐために、球ならし振子が取り付けられている。この球ならし振子は、例えば特許文献３などで示されているように、上端が球通路の上で前後の延びた軸に回転自在に設けられており、軸を中心に重りを付けた下端が揺動する。揺動する下端は、２条の球通路内に入り込む幅で形成されており、２条の球通路にパチンコ球が積み重なって流下してくると、下端と球通路の底面との間隔が最下層のパチンコ球のみが通過できる間隔となるように、底面がパチンコ球の流下方向に向けて円弧状になっている。そして、仕切り板は、下流方向に延びており、一部が球ならし振子の下端に当接しないように切り欠いた高さとなっている。
【０００５】
ところで、特許文献３に記載の球ならし振子は、２条の球通路に対して１個の球ならし振り子であるため、２条の球通路のうちのいずれか一方の球通路に積み重なって流下するパチンコ球によって下端が揺動してしまい、この隙に他方の球通路にパチンコ球が積み重なったまま流下するおそれがある。このため、複数の球ならし振子を各球通路に個別に入り込ませて各々で揺動させることが望まれていた。
【特許文献１】特開２００３−１９０４２８号公報
【特許文献２】特開２００２−４５５４２号公報
【特許文献３】特開平８−８４８３６号公報
【発明の開示】
【発明が解決しようとする課題】
【０００６】
ところで、球通路ごとに球ならし振子を設ける場合、仕切り板の高さが低いと、各々の球ならし振子が個別に揺動するため、球通路から隣の球通路にパチンコ球が仕切り板を乗り越えるおそれがある。このため、仕切り板の高さを全て高くする必要がある。しかしながら、タンクレールは、樹脂成形品となっている。このため、仕切り板を高く成形すると、仕切り板に反りが生じるおそれがある。このようになると、各球通路の幅が狭くなり、パチンコ球が詰まったり、球ならし振子が引っ掛かって揺動しない不都合が生じる。
【０００７】
本発明は、上記課題を解決するためになされたもので、仕切り板の反りを矯正してパチンコ球がスムーズに流下するように各球通路の幅を規制するように工夫した遊技機をローコストで提供することを目的とする。
【課題を解決するための手段】
【０００８】
上記目的を達成するために、本発明の遊技機は、通路部を複数の球通路に仕切る仕切り板を、仕切り板の立ち上がり方向に対して直交する方向の少なくとも一方から支持する幅規制部材を設け、この幅規制部材で、各球通路をパチンコ球１個以上２個未満の幅に規制するようにしたものである。各球通路には、パチンコ球の重なりによる球詰まりを防ぐために、前記通路部の上方に設けた開放部から各球通路に個別に入り込んで、重なって流動するパチンコ球を均等に配分する球ならし部材を設けるのが望ましい。
【０００９】
通路部は、上方が開口されている。球ならし部材の下流では、整列したパチンコ球が開口から飛び出さないように、通路カバーを取り付けるのが望ましい。この場合、通路カバーに幅規制部材を一体的に設けると、カバーと通路幅の規制との作用を一物品で兼ねることができるため、ローコストになる。
【００１０】
通路部を２個の球通路に仕切る場合には、底板の両端に立設した内側板と外側板との間に、１枚の仕切り板を設ければよい。また、通路部を２個以上の球通路に仕切る場合には、内側板と外側板との間に、球通路の数より「１」少ない数だけ仕切り板を設ければよい。なお、球通路を構成する内側板に代えて、遊技盤の裏面に設けた基板を用いることができる。
【００１１】
幅規制部材としては、内側板又は基板とこれに対峙する仕切り板との間、又は、隣り合う仕切り板の間、あるいは、仕切り板とこれに対峙する外側板との間に、スペーサを上方の開口から嵌め込むことで、球通路の幅を所定幅に規制する構成であってもよい。この場合には、複数のスペーサを各球通路に個別に嵌め込む構成であってもよいし、また、各球通路に嵌まる複数のスペーサを一体的に取り付けたものであってもよい。
【発明の効果】
【００１２】
通路部を複数の球通路に仕切る仕切り板を、仕切り板の立ち上がり方向に対して直交する方向の少なくとも一方から支持する幅規制部材を設け、この幅規制部材で、各球通路をパチンコ球１個以上２個未満の幅に規制するようにしたから、成形後のタンクレールの仕切り板が反っていても、幅規制部材でその反りを矯正することができ、よって、パチンコ球をスムーズに流下させることができる。また、成型品のタンクレールに新たなリブなどを加えるための金型の修正作業などを必要としないため、ローコストで達成することができる。
【発明を実施するための最良の形態】
【００１３】
図１に示すように、パチンコ機１０は、本体部１１、前面扉１２などで構成されている。本体部１１の前面には、遊技盤の盤面１３、払い出し口１４、球発射装置の操作ハンドル１５、及び、払い出し口１４から球発射装置にパチンコ球を供給する下皿１６が露呈して設けられている。盤面１３には、図柄表示装置１７、始動口１８、通常入賞口１９、アタッカ２０、及びアウト口２１等が取り付けられており、これらは前面扉１２に設けた透明なガラス２２により被われる。
【００１４】
パチンコ機１０は、操作ハンドル１５を操作することによって球発射装置が作動してパチンコ球を一個ずつ盤面１３に向けて打ち出す。パチンコ球が始動口１８に入ると、図柄表示装置１７が作動し、図柄表示装置１７の入賞有効ライン上に、所定の図柄の組み合わせが得られると大当たりとなる。大当たりが得られるとアタッカ２０が１回につき所定時間又はパチンコ球が所定個数入賞するまで開き、これが所定回数繰り返される。アタッカ２０又は通常入賞口１９にパチンコ球が入賞すると、払い出し装置により所定個数の景品球が払い出し口１４から下皿１６に払い出される。アウト口２１に入るパチンコ球は回収される。
【００１５】
図２に示すように、パチンコ機１０の後面には、パチンコ球供給装置２３、及び払い出し装置２４などが取り付けられている。パチンコ球供給装置２３は、図３に示すように、パチンコ球貯留タンク２６、タンクレール２７、球ならし部材４４、ストッパ３０，及び、通路カバー３１を、基板２５に一体的に取り付けた構成となっている。
【００１６】
タンクレール２７は、パチンコ球貯留タンク２６からパチンコ球を払い出し装置２４に向けて流下させる通路部３２を備えており、図４に示すように、底板３３と外側板３４とをＬ字状に繋げた断面形状となっている。底板３３と外側板３４とは、流下方向に延ばして形成されており、通路部３２は、底板３３、外側板３４、及び基板２５とにより上方が開放された断面コ字状の形状となる。この基板２５と外側板３４との間の底板３３には、仕切り板３５が立設されている。仕切り板３５は、１個分のパチンコ球３６を越える高さで、かつ流下方向に延ばして設けられており、通路部３２を２つの球通路３７，３８に仕切っている。
【００１７】
球ならし部材４４は、２個の球ならし振子２８，２９で構成されている。各球ならし振子２８，２９は、上方から２つの球通路３７，３８に個別に入り込んで各々が共通の軸３９を中心として、球通路３７，３８をパチンコ球が流動する方向に揺動することで、パチンコ球貯留タンク２６から流下するパチンコ球３６の重なりによる球詰まりを防ぐ。通路カバー３１は、２個の球ならし振子２８，２９に対して流下方向の下流側の位置で、基板２５と外側板３４との間に嵌め込まれて固定され、２つの球通路３７，３８からパチンコ球３６が飛び出ないように通路部３２の上方を被う。ストッパ３０は、通路カバー３１の隙間から各球通路３７，３８に入り込む一対の爪を有しており、メンテナンスなどのときに、一対の爪を挿入して払い出し装置２４へのパチンコ球３６の流下を阻止する。
【００１８】
タンクレール２７は、樹脂成形品となっており、パチンコ機１０の裏面のうちの左方上部に配したパチンコ球貯留タンク２６から右方下部に配した払い出し装置２４にパチンコ球を誘導するために横に細長い形状をしている。このため、成形後に、底板３３に立設している仕切り板３５や外側板３４が反る恐れがある。そこで、仕切り板３５の立ち上がり方向に対して直交する方向（前後方向）の少なくとも一方から仕切り板３５及び外側板３４を支持して、球通路３７，３８をパチンコ球１個以上２個未満の幅に規制する幅規制部材を設けている。
【００１９】
幅規制部材は、仕切り板３５の先端を前後方向から支持する第１支持部と、外側板３４を前後方向から支持する第２支持部とで構成されている。第１支持部は、図５及び図６に示すように、基板２５に設けた突出部４０と、通路カバー３１に設けた段差部４１とで構成されており、突出部４０の後面４０ａと段差部４１の前面４１ａとの間の隙間に仕切り板３５の先端を挟み込むことで、仕切り板３５の反りを矯正する。第２支持部は、突出部４０に突設した雄ネジ付きピン４２に外側板３４の先端３４ａを螺子４３で止めることで外側板３４の反りを矯正する。なお、第１支持部としては、仕切り板３５の先端を両方向から支持する代わりに、前後方向の一方向から支持するようにしてもよい。
【００２０】
次に、上記のように構成されたパチンコ機の作用について説明する。パチンコ球供給装置２３は、基板２５にパチンコ球貯留タンク２６を取り付け、その後に、軸３９に一対の球ならし振子２８，２９を取り付け、さらに、基板２５との間にストッパ３０，及び、通路カバー３１を挟み込んだ状態でタンクレール２７を基板２５に取り付けて組み立てる。
【００２１】
このとき、仕切り板３５の先端を後面４０ａと前面４１ａとの間の隙間に挿入する。これにより、仕切り板３５の反りを矯正することができる。また、外側板３４を雄ネジ付きピン４２に螺子４３で止めることで、外側板３４の反りも矯正することができる。さらに、球ならし振子２９を球通路３８に挿入する。仕切り板３５は、軸３９よりも高さが低くなっている。このため、球ならし振子２９を回転させれば仕切り板３５を乗り越えて手前の球通路３８に入り込む。これにより、各球通路３７，３８が所定の幅に維持され、かつ各球通路３７，３８で球ならし振子２８，２９がスムーズに揺動する。このように組み立てられたパチンコ球供給装置２３は、本体部１１の後面に取り付けられる。
【００２２】
パチンコ球貯留タンク２６には、大量のパチンコ球が入っている。パチンコ球は、図７に示すように、パチンコ球貯留タンク２６の開口２６ａから通路部３２のうちの流下方向の上流側に落下する。この上流側では、仕切り板３５が切り欠かれており、これから下流側に向けて徐々に立ち上がっている。このため、パチンコ球は、開口２６ａから落下し、通路部３２を僅かに流下してから仕切り板３５により球通路３７，３８に分けられる。
【００２３】
球ならし振子２８，２９はおもりが最下端となるように一定姿勢を保っている。２条に分かれたパチンコ球３６は、各球通路３７，３８で複数層に積み重なって流下する。球ならし振子２８，２９は、最下層のパチンコ球３６のみが下流側へ流下するように個別に揺動する。これにより、球ならし振子２８，２９を通過するパチンコ球３６は、整列した状態で流下され、払い出し装置２４に供給される。
【００２４】
遊技者がゲームを行って、通常入賞口１９、始動口１８、及びアタッカ２０の何れかにパチンコ球が入賞した場合、払い出し装置２４から所定個数の景品球が払い出し口１４に送られ、払い出し口１４から下皿１６に所定個数の景品球が払い出される。景品球の払い出しが行われると、パチンコ球は、パチンコ球貯留タンク２６からタンクレール２７を通って払い出し装置２４に順次送られる。
【００２５】
前述した実施形態では、基板２５の一部を通路部の壁に兼用しているが、別の実施形態としては、図８に示すように、底板５０の前端及び後端に、内側板５１及び外側板５２をそれぞれ立設し、内側板５１と外側板５２との間に仕切り板５３を立設したタンクレール５９を用いても良い。また、球通路としては２つに限らず、３つ以上としてもよい。
【００２６】
また、幅規制部材としては、同図に示すように、内側板５１と仕切り板５３との間、及び、仕切り板５３と外側板５２との間に嵌り込む２個のスペーサ５４，５５を支持板５６に一体的に取り付けた構成にしてもよい。この場合、各スペーサ５４，５５を一緒に各球通路５７，５８に嵌め込むことができるので作業が簡便になる。
【００２７】
また、図９に示すように、各球通路５７，５８に個別にスペーサ６０，６１を取り付けるようにしてもよい。この場合、支持板に対して１個のスペーサを設けた幅規制部材６２，６３を球通路５７，５８と同じ数だけ用意し、各スペーサ６０，６１が異なる球通路５７，５８に個別に嵌まるように幅規制部材６２，６３を基板２５に取り付ける。なお、同図では、幅規制部材６２，６３を各球通路５７，５８の流下方向に並べて取り付けているが、幅規制部材６２，６３を重ねて取り付けることで、各スペーサ６０，６１が各球通路５７，５８に嵌るように構成してもよい。
【００２８】
さらに、上記各実施形態では、球ならし部材４４を２個の球ならし振子２８，２９で構成しているが、本発明ではこれに限らず、上方の開放部から各球通路３７，３８に個別に入り込んで、各球通路３７，３８でパチンコ球の流動方向に揺動して、重なって流動するパチンコ球を均等に配分する部材であれば、例えばジャマ板やブラシなどを用いても良い。また、揺動しない部材、例えば固定のブラシなどを用いてもよい。
【図面の簡単な説明】
【００２９】
【図１】本発明を実施したパチンコ機の前面側の斜視図である。
【図２】パチンコ機の背面側の斜視図である。
【図３】パチンコ球供給装置の概略を示す分解斜視図である。
【図４】球ならし振子を配した通路部を示す断面図である。
【図５】幅規制部材を配した通路部を示す断面図である。
【図６】基板の突起部、通路カバー、及び、タンクレールの要部を示す斜視図である。
【図７】球ならし振子が重なったパチンコ球の流下を防止している状態を示す説明図である。
【図８】タンクレール及び幅規制部材の別の実施形態を示す斜視図である。
【図９】幅規制部材の他の実施形態を示す斜視図である。
【符号の説明】
【００３０】
１０  パチンコ機
２４  払い出し装置
２５  基板
２６  パチンコ球貯留タンク
２７  タンクレール
３１  通路カバー
【図１】
2006192126.tif 000003
【図２】
2006192126.tif 000004
【図３】
2006192126.tif 000005
【図４】
2006192126.tif 000006
【図５】
2006192126.tif 000007
【図６】
2006192126.tif 000008
【図７】
2006192126.tif 000009
【図８】
2006192126.tif 000010
【図９】
2006192126.tif 000011